(57)【要約】【課題】受信側の頭切れを防止したバッテリセービング機能を有する無線通信機を提供する。【解決手段】電池３２を電源とし、受信回路ＲＸに予め定めた第１の期間にわたり受信信号が入力されないことを検出したときから、予め定めた第２の期間受信回路ＲＸへ電池出力の供給を停止し、かつ第２の期間経過後予め定めた第３の期間受信回路ＲＸへ電池出力の供給を行うことを繰り返すバッテリセービングを行う無線通信機において、送信回路ＴＸへ送信開始指示時から送信回路ＴＸへ電池出力の供給を開始し、送信開始指示時から前記第２の期間にわたり警告音を出力すると共に、警告音の出力期間中にわたりマイクロフォン２１からの出力信号をミュートするマイクミュート回路２２を送信回路ＴＸに備えた。【選択図】        図１
2004235912.tif 000002
【特許請求の範囲】
【請求項１】
電池を電源とし、受信回路に予め定めた第１の期間にわたり受信信号が入力されないことを検出したときから、予め定めた第２の期間前記受信回路へ電池出力の供給を停止し、かつ前記第２の期間経過後予め定めた第３の期間受信回路へ前記電池出力の供給を行うことを繰り返すバッテリセービングを行う無線通信機において、送信回路へ送信開始指示時から前記送信回路へ前記電池出力の供給を開始し、前記送信開始指示時から前記第２の期間にわたり警告音を出力すると共に、前記警告音の出力期間中にわたりマイクロフォンからの出力信号をミュートするマイクミュート回路を前記送信回路に備えたことを特徴とする無線通信機。
【発明の詳細な説明】
【０００１】
【発明の属する技術分野】
本発明はバッテリセービング機能を備えた無線通信機に関する。
【０００２】
【従来の技術】
電池を電源とする無線通信機において、従来のバッテリセービング方式として、スイッチ回路を介して電池の出力が印加された発振器で周期ｔａ、パルス幅ｔｂのパルス発振をさせ、発振器の発振パルスの立ち上がりに同期して制御回路を動作させ、制御回路を用いて受信回路のバッテリセービングの時間を監視させて、制御回路がオン状態になっている時間ｔｂの間に受信回路をオン状態にすべきか否かを判断させて、受信回路をオン状態にすべきと制御回路が判断したときは、時間ｔｂ経過時から受信回路を時間ｔｃだけオン状態にして動作状態に保つ。
【０００３】
上記時間ｔｃが経過する間に受信回路によって検出される呼び出し信号、あるいは発信操作に応じた発信信号があると、制御回路はこれらの信号を受けてスイッチ回路のオン状態を維持するような制御を行い、この受信回路が動作中に何の信号もなかった場合はスイッチ回路を再びオフ状態に戻す。これらの動作を繰り返すことによって間欠受信が行われる。制御回路において、受信回路をオンにすべきか否かの判断は受信回路の受信頻度の多少に応じて行うことが知られている（例えば、特許文献参照）。
【０００４】
【特許文献】
特公昭６３−５６７３０号公報（第２―３頁、第５図）。
【０００５】
また、電池を電源とする無線通信機において、従来のバッテリセービング機能として、図４（ａ）に示すように受信信号がなくなって受信信号待ち受け時に入ると、予め定めた一定期間ｔ１無信号状態が継続したときから、図４（ｂ）に示すように予め定めた一定期間ｔ２受信回路の電源をオフ状態に制御し、受信回路の電源オフ状態が一定期間ｔ２を経過すると、予め定めた一定期間ｔ３にわたって受信回路の電源をオン状態に戻し、この間にまだ無信号状態が継続している場合は、再び期間ｔ２の間受信回路の電源をオフ状態にし、続いてを期間ｔ３の間受信回路の電源をオン状態にする動作を継続させることによって無線通信機の電池寿命を延ばすバッテリセービングを行うものもある。
【０００６】
この場合、期間ｔ１、ｔ２、ｔ３は無線通信機によっては固定期間であるものも、可変期間にしたものもある。
【０００７】
【発明が解決しようとする課題】
しかしながら上記した従来のバッテリセービング機能を有する無線通信機では、電池寿命の延長に効果があるが、受信回路の電源オフ期間中に通信相手が送信を開始した場合、受信側の無線通信機では、受信回路の電源が次にオン期間に入るまでの間、信号を受信することができないという問題点があった。
【０００８】
この状態を模式的に示せば、図５（ｂ）に示すごとく受信回路の電源オン（期間ｔ３）／オフ（期間ｔ２）が繰り返されている状態で、図５（ａ）に示すごとく受信回路の電源がオフ状態時に相手局が送信を開始してきた場合、受信回路は図５（ｃ）に示すように、次に電源オン状態になるまでの間（期間ｔ２が経過するまでの間）受信回路がオン状態にならないため、相手局の送信開始時から図５（ａ）において斜線を付した期間ｔ４の間受信ができず、この期間ｔ４の間いわゆる頭切れの状態となる。特公昭６３−５６７３０号公報に記載のバッテリセービング方式の場合も、時間ｔｂの期間中に通信相手が送信を開始した場合にも頭切れの状態となる。
【０００９】
上記のように頭切れの状態となったときには、受信側が通信相手に対して再度送信してもらうように依頼し、再度送信してもらうことになる。このことから、交信に使用している周波数の占有時間の増加にもつながることになる。
【００１０】
本発明は、受信側の頭切れを防止したバッテリセービング機能を有する無線通信機を提供することを目的とする。
【００１１】
【課題を解決するための手段】
本発明の無線通信機は、電池を電源とし、受信回路に予め定めた第１の期間にわたり受信信号が入力されないことを検出したときから、予め定めた第２の期間前記受信回路へ電池出力の供給を停止し、かつ前記第２の期間経過後予め定めた第３の期間受信回路へ前記電池出力の供給を行うことを繰り返すバッテリセービングを行う無線通信機において、送信回路へ送信開始指示時から前記送信回路へ前記電池出力の供給を開始し、前記送信開始指示時から前記第２の期間にわたり警告音を出力すると共に、前記警告音の出力期間中にわたりマイクロフォンからの出力信号をミュートするマイクミュート回路を前記送信回路に備えたことを特徴とする。
【００１２】
本発明の無線通信機によれば、受信回路に予め定めた第１の期間にわたり受信信号が入力されないことを検出したときから、予め定めた第２の期間前記受信回路へ電池出力の供給を停止し、かつ前記第２の期間経過後予め定めた第３の期間受信回路へ前記電池出力の供給を行うことを繰り返すバッテリセービングを行う無線通信機において、送信回路へ送信開始指示時から前記送信回路へ前記電池出力の供給が開始され、前記送信開始指示時から前記第２の期間にわたり警告音が出力されると共に、前記警告音の出力期間中にわたりマイクロフォンからの出力信号がマイクミュート回路によってミュート状態にされる。したがって、警告音の終了後から送話を行うことによって相手との交信において頭切れが生ずるようなことはない。
【００１３】
【発明の実施の形態】
以下、本発明にかかる無線通信機を実施の一形態によって説明する。
【００１４】
図１は本発明の実施の一形態にかかる無線通信機の構成を示すブロック図であり、ＳＳＢ無線通信機の場合を例示している。
【００１５】
本発明の実施の一形態にかかる無線通信機１は、スイッチ回路３３を介して選択的に電池３２からの出力を受けて動作する受信回路ＲＸおよび送信回路ＴＸと、制御回路３５を備えている。
【００１６】
受信回路ＲＸは、アンテナ１１からの出力をＲＦ増幅器１２で選択増幅し、ＲＦ増幅器１２の出力を局部発振器１３と協動するミキサ１４によって中間周波信号に変換し、中間周波信号を中間周波段１５によって増幅し、増幅された中間周波数信号をビート周波数発振器１６と協動する検波器１７で検波し、検波出力をＡＦ増幅器１８で増幅してスピーカ１９を駆動する。中間周波段１５からは受信電界強度を検出した電界強度信号を、受信信号存否の信号として制御回路３５に供給して、制御回路３５の制御の下に電池出力の受信回路ＲＸへの電力供給を制御して前記した図４および図５に示したバッテリセービング動作をさせる。
【００１７】
送信回路ＴＸは、マイクロフォン２１からの出力信号をマイクミュート回路２２に供給し、マイクミュート回路２２の出力をＡＦ増幅器２４で増幅し、キャリア発振器２３と協動するバランスモジュレータ２５によりキャリアをＡＦ増幅器２４の増幅出力によって変調し、ＳＳＢフィルタ２６によって一方の側波帯を抽出し、ＳＳＢフィルタ２６からの出力を局部発振器２８と協動するミキサ２７によって周波数変換し、周波数変換された信号を増幅器２９および電力増幅器３０によって増幅し、アンテナ３１を介して放射させる。
【００１８】
制御回路３５は受信のときに前記した電界強度信号を受けて受信回路ＲＸへの電池３２からの出力の印加制御を行う他に、送信回路ＴＸ側への電池出力の印加制御を行う。本実施例の無線通信機１では、上記のごとく送信側の送信回路ＴＸにおいてもバッテリセービング機能を有し、無線通信機１からの送信出力を受信する相手側無線通信機の受信回路もバッテリセービング機能を有しているもとする。
【００１９】
以下、無線通信機１における送信回路ＴＸ側でのバッテリセービング機能について説明する。制御回路３５はコンピュータからなり、送信起動指示キー３６からの送信起動指示を受けてスイッチ回路３３を制御して送信回路ＴＸに電池３２からの出力の供給制御を行うバッテリセーブ制御回路３５−１と、図示しないタイマーを制御してマイクミュート回路のミュート制御および警告音などを出力するスピーカ３７の駆動制御を行うカウンタタイマ制御回路３５−２を機能的に備えている。バッテリセーブ制御回路３５−１は受信回路ＲＸ側への電池３５の電池出力制御も行うが前記したように送信回路ＴＸ側でのバッテリセービング機能の説明のために、受信回路ＲＸ側に対する説明は省略している。
【００２０】
次に、図２に示す無線通信機１の送信時のフローチャートおよび図３に示すタイミング図に基づいて、無線通信機１の送信時のバッテリセービング作用について説明する。
【００２１】
送信起動キー３６の操作により送信起動が指示されると（ステップＳ１）、スイッチ回路３３は送信回路ＴＸ側に切り換えられて送信回路ＴＸに電池３２の出力が供給され、送信の開始が指示される（ステップＳ２）。ステップＳ２に続いて無線通信機１においてバッテリセービング機能が動作しているか否かがチェックされる（ステップＳ３）。無線通信機１においてバッテリセービング機能が動作しているときは相手側無線通信機の受信回路においてもバッテリセービング機能が動作中である可能性が高い。
【００２２】
ステップＳ３において、バッテリセービング機能が動作中であると判別されたときは、マイクミュート回路２２はミュート状態に制御されマイクロフォン２１からの出力はミュートされる（ステップＳ４）。続いて無線通信機１におけるバッテリセービング機能の受信回路ＲＸの電源オフ時間ｔ２と同じ時間がタイマカウンタにセットされ（ステップＳ５）、続いてタイマカウンタのカウント値が０か否かがチェックされる（ステップＳ６）。
【００２３】
ステップＳ６においてタイマカウンタのカウント値が０でないと判別されると、ステップＳ６に続いて、タイマカウンタのカウント値がデクリメントされ（ステップＳ７）。警告音がスピーカ３７から送出され（ステップＳ８）、ステップＳ６から再び実行される。この実行は、ステップＳ６乃至ステップＳ８の実行によって、ステップＳ６においてタイマカウンタのカウント値が０になったと判別されるまで続けられる。
【００２４】
ステップＳ６においてタイマカウンタのカウント値が０であると判別されると、ステップＳ６に続いて、通話許可音発生処理がなされてスピーカ３７から通話許可音が発生される（ステップＳ９）。ステップＳ９による通話許可音発生処理がなされれると、マイクミュート回路２２におけるマイクミュート状態が解除され（ステップＳ１０）、マイクロフォン２１から音声信号がＡＦ増幅器２４へ送出されて送信が行われる。
【００２５】
上記からも明らかなように、送信回路ＴＸは送信開始指示から無線通信機１におけるバッテリセービング機能の受信回路ＲＸの電源オフ時間ｔ２と同じ期間警告音が出力され、この警告音の発生後に通話許可音が出力されたときから、通話が行えることになる。
【００２６】
この結果、図３（ｂ）に示すごとく、相手局の受信回路に電源が印加されていない期間、すなわちバッテリセービング期間中において、送信開始指示がなされても図３（ａ）に示すように送信開始指示から期間ｔ２遅れて通話許可音が出力され、通話許可音が出力されたときから通話を行うことによって、図３（ｂ）に示すように通話開始時期は相手側の受信回路には電源が印加されていて受信可能状態にあり、図３（ｃ）に示すように相手局では、受信音声の出力可能状態にあって、通話の頭切れは発生することはなくなる。
【００２７】
また、ステップＳ３においてバッテリセービング機能が動作中でないと判別されたときは、ステップＳ４〜ステップＳ９はスキップされて、ステップＳ３に続いてステップＳ１０から実行される。
【００２８】
上記のようにバッテリセービングが機能中のときは、送信開始指示時から少なくとも予め定めた期間ｔ２遅れて通話が許可されることになり、通話許可されたときから通話することにより、頭切れのない受信を行うことが可能となる。また、送信側では、通話を開始するタイミングを通話許可音の発生通話によって知ることができるため、確実な通話を行うことができる。
【００２９】
無線通信機１において、警告音、通話許可音のごとく音によって報知する場合を例示したが、異なる色の発光によって警告及び送話許可を知らせるようにしてもよい。
【００３０】
上記したように無線通信機１で送信開始指示時から送信回路ＴＸに電池３２の出力が印加され、送信開始指示から、無受信信号時における受信回路ＲＸのオフ期間ｔ２と同じ期間にわたり警告音を発生し、警告音の終了後マイクロフォン出力のミュートを解除するようにしたため、警告音の終了後送話を行うことにより、送話の頭切れが解消される。
【００３１】
なお、上記した無線通信機１において、スピーカ１９とスピーカ３７とを独立して設けた場合を例示したが、スピーカ３７をスピーカ１９と共用してもよい。
【００３２】
また、電池３２は車載バッテリーでも差し支えないことは勿論である。
【００３３】
【発明の効果】
以上説明したように本発明にかかる無線通信機によれば、送信開始指示時から送信回路に電池の出力の供給を行い、送信開始指示時から、無受信信号時における受信回路のオフ期間と同じ期間にわたり警告音を発生し、警告音の終了後マイクロフォン出力のミュートを解除するようにしたため、警告音の終了後送話を行うことにより、送話の頭切れが解消されることになる。
【図面の簡単な説明】
【図１】本発明の実施の一形態にかかる無線通信機の構成を示すブロック図である。
【図２】本発明の実施の一形態にかかる無線通信機の作用の説明に供するフローチャートである。
【図３】本発明の実施の一形態にかかる無線通信機の作用の説明に供するタイミング図である。
【図４】従来の無線通信機の受信回路におけるバッテリセービングのタイミング図である。
【図５】従来の無線通信機におけるバッテリセービングの場合における送話頭切れの説明に供するタイミング図である。
【符号の説明】
１  無線通信機
ＲＸ  受信回路
ＴＸ  送信回路
２１  マイクロフォン
２２  マイクミュート回路
３２  電池
３３  スイッチ回路
３５  制御回路
３５−１  バッテリセーブ制御回路
３５−２  カウンタタイマ制御回路
３６  送信起動指示キー
【図１】
2004235912.tif 000003
【図２】
2004235912.tif 000004
【図３】
2004235912.tif 000005
【図４】
2004235912.tif 000006
【図５】
2004235912.tif 000007